(57)【要約】      （修正有）【課題】イチゴをパックに収納する際にパック毎に振動や衝撃から収納したイチゴを守るための緩衝材をいれてイチゴに傷が付かないイチゴの収納方法を提供する。【解決手段】複数の凹部（２ｉ）を備えた左右側面片（２ｂ，２ｃ）と内部に複数の凹部（２ｊ）を備え十文字に交わり着脱可能に備えられた縦横仕切片（２ｇ）を持つ箱（２）と、緩衝作用のある蓋（２ｌ）と、容器の最下部と中段部に緩衝材（３ｂ，３ｃ）を使用したイチゴの収納方法とからなるイチゴの収納方法の構成とした。【選択図】  図１
2004307015.tif 000002
【特許請求の範囲】
【請求項１】
パックの底に下緩衝材を敷き前記下緩衝材の上に複数のイチゴを収納し、前記収納したイチゴの上に上緩衝材を敷き前記上緩衝材の上にイチゴを載せて収納し、前記上緩衝材のイチゴ上にシートを被せたことを特徴とするイチゴの収納方法。
【請求項２】
複数の凹部を備えた左右側面片と内部に複数の凹部備え十文字に交わり着脱可能に備えられた縦横仕切片を持つ収納容器内に請求項１に記載のイチゴを収納したパック４個を収納したことを特徴とするイチゴの収納方法。
【発明の詳細な説明】
【０００１】
【発明が属する技術分野】
本発明は、イチゴをパックに収納する収納方法の改良に関する発明及び前記イチゴを収納したパックを収納容器に収納する収納方法の改良に関する発明である。
【０００２】
【従来の技術】
従来、収穫したイチゴを収納して出荷するために使用されていた収納容器は、一般的に数十個のイチゴをパックに入れ収納し、当該パックを更に包装紙により包装して出荷したり販売している。
【０００３】
パックに数十個のイチゴを収納する場合には、数十個中の半数のイチゴをパックの底に収納し、パックの底に収納された半数のイチゴの上に載せ接触させて残り半数のイチゴを底に収納したイチゴに重ねて収納している。
【０００４】
そして、数十個のイチゴを上記のように上と下の２段に１パックに入れ収納したパックを４パック作り、４パックが収納できる別な大きな収納容器に収納して包装しイチゴを出荷をしている。
【０００５】
【発明が解決しようとする課題】
しかしながら、従来のように、数十個のイチゴをパック内にパックの底に収納するとともに、下段に収納されたイチゴの上に接触させて載せて上下２段となるように収納したのでは、パックの底の下段に収納されたイチゴと上段に収納したイチゴとが接触しているために、イチゴを収納したパックが揺動すると、下段のイチゴと上段にあるイチゴが擦れてイチゴに傷ができ、傷の部分から腐食してしまいイチゴの形状が崩れてしまい販売ができなくなってしまうとの欠点がある。
【０００６】
そこで、本発明は、イチゴをパックに収納する際にパック毎に振動や衝撃から収納したイチゴを守るための緩衝材をいれてイチゴに傷が付かないイチゴの収納方法を提供することを目的とするものである。
【０００７】
【課題を解決するための手段】
本発明は、上記の課題を解決するために、パックの底に下緩衝材を敷き前記下緩衝材の上に複数のイチゴを収納し、前記収納したイチゴの上に上緩衝材を敷き前記上緩衝材の上にイチゴを載せて収納し、前記上緩衝材のイチゴの上にシートを被せたことを特徴とするイチゴの収納方法の構成及び複数の凹部を備えた左右側面片と内部に複数の凹部を備え十文字に交わり着脱可能に備えられた縦横仕切片を持つ収納容器内にイチゴを収納したパック４個を収納したことを特徴とするイチゴの収納方法の構成とした。
【０００８】
【実施例】
以下に添付図面に基づき、本発明であるイチゴの収納容器及び収納方法について詳細に説明する。図１は本発明であるイチゴの収納方法を示した図である。即ち、イチゴをパックに収納する収納方法及びイチゴを収納したパックを収納容器に収納する収納方法を示した斜視図、図２はイチゴの収納方法に用いる収納容器の斜視図である。
【０００９】
図１に示すように、複数のイチゴ４、４、４・・・・を上下２段に収納したパック３、３、３、３の４パックを収納容器２内に収納した状態を示した図である。収納容器２は、直方体形状であり、底面片２ｋに正面片２ｄ、背面片２ａ、左側面片２ｂ、右側面片２ｃ、縦仕切板２ｅと横仕切板２ｆとからなる仕切材とからなる。各４隅には補強片２ｇ、２ｇ、２ｇ、２ｇが設けてある。
【００１０】
図２に示すように、長方形状をした底面片２ｋの四隅に連設され起立している背面片２ａ、左側面片２ｂ、右側面片２ｃ及び正面片２ｄは、一度起立して折り曲げられ頂点部で内側に向かって折り返され収納容器２の壁を形成している。折り返されているので２重構造となっている。これは、強度を増すためである。
【００１１】
前記左側面片２ｂには二箇所にＵ字型の凹部２ｉ、２ｉが施されており、また、同じく前記右側面片２ｃにも二箇所にＵ字型の凹部２ｉ、２ｉが施されている。前記左右側面片２ｂ、２ｃの両端には、差込孔２ｈ、２ｈが施されており、背面片２ａ、正面片２ｄの両端に連設した補強片２ｇ、２ｇの一部を差し込んで使用する。
【００１２】
四隅に設けられている補強片２ｇ、２ｇ、２ｇ、２ｇは略扇状をしており、背面片２ａと左側面片２ｂ、背面片２ａと右側面片２ｃ、正面片２ｄと左側面片２ｂ、正面片２ｄと右側面片２ｃを共に接続している。
【００１３】
収納容器２の形が崩れにくく強度を増す役割をしているとともに、収納容器２を重ねた際に重なり部分が増えることで、収納容器２を積み重ねた場合でも安定させるためである。また、収納したイチゴを収納したパック３、３、３、３の一部を係止させることによりパック３、３、３、３が収納容器２内から飛び出さないようにするための保護板の役割をしている。
【００１４】
収納容器２の内部には縦仕切板２ｅと横仕切板２ｆが十文字状に交差して組み立てられた仕切り材２ｓが取り付けられている。収納容器２の内部を４室に仕切っている。各室にはイチゴ４、４、４・・・・を収納したパック３、３、３、３が入れられている。この仕切り材２ｓは、収納容器２内部に着脱することができる。
【００１５】
図３は、本発明であるイチゴの収納方法に用いる収納容器で取り付ける縦横仕切板からなる仕切り材２ｓを示した斜視図である。図３に示すように、仕切り材２ｓを構成する縦仕切板２ｅの中央には縦方向にスリット２ｒが設けてある。
【００１６】
そして、縦仕切板２ｅの左端部及び右端部には左右の段差２ｎ、２ｎが設けられており、この段差２ｎ、２ｎから縦仕切板２ｅの左端部及び右端部は一段下がった形状となり幅が狭くなり高さが低い。
【００１７】
そして、縦仕切板２ｅの左右の段差２ｎ、２ｎの先端には、差込部２ｏ、２ｏが形成されている。図２に示したように、この差込部２ｏ、２ｏは、背面片２ａと正面片２ｄの中央部に形成されている差込孔に差し込まれる。
【００１８】
図３に示すように、横仕切板２ｆは、横仕切板２ｆの左方にはＵ字形の左凹部２ｊが形成されているとともに、右方にはＵ字形の右凹部２ｊが形成されていて、左凹部２ｊと右凹部２ｊは横仕切板２ｆの中央を中心にして対称の位置に設けられている。
【００１９】
また、横仕切板２ｆの左右両端には、差込部２ｐ、２ｐが設けられている。図２に示したように、これらの差込部２ｐ、２ｐは左側面片２ｂ及び右側面片２ｃの内面の中央部に形成されている差込孔に差し込まれる。
【００２０】
縦仕切板２ｅの中心の上部には縦方向にスリット２ｒが設けられており、一方横仕切板２ｆの中心の下部には縦方向にスリット２ｑが設けられている。スリット２ｒ、２ｑ同士を嵌合させることで、十文字状になった仕切り材２ｓが出来上がる。
【００２１】
図３に示すように、横仕切板２ｆでは、スリット２ｑが形成されている箇所の高さは、横仕切板２ｆの左端部２ｔ及び右端部２ｕの高さよりも高い。即ち、Ｕ字形の左右凹部２ｊ、２ｊから左方及び右方の高さは低く形成されている。
【００２２】
図１から図３に示したように横仕切板２ｆに施されたＵ字形の左右凹部２ｊ、２ｊにより、パック３、３、３、３を収納容器２より取り出す際にパック３、３、３、３の縁に指が引っかかり取り出しやすくなっている。
【００２３】
図４は本発明であるイチゴの収納方法に用いるパックにイチゴを収納した状態を示した正面斜視図、図５はイチゴの収納方法に用いるパックにイチゴを収納した状態を示した正面図、図６はイチゴの収納方法に用いるパックにイチゴを収納した状態の縦断面図である。
【００２４】
図４から図６に示すように、パック３内にイチゴ４、４、４・・・を収納するためには、まずパック３の底面に下緩衝材３ｃを敷き、その上に一段目のイチゴ４、４、４・・・・・・を並べる。
【００２５】
このように、並べて収納した一段目のイチゴ４、４、４・・・の上に、上緩衝材３ｂを敷いて、更に二段目のイチゴ４ａ、４ａ、４ａ・・・・・を載せてイチゴ４、４、４ａ、４ａをパック３内に収納する。
【００２６】
上緩衝材３ｂを一段目のイチゴ４、４、４・・・と二段目のイチゴ４ａ、４ａ、４ａ・・・に挟んで詰め込むことで、上段と下段に積み重なったイチゴ４、４ａ同士が擦れて傷つけあうのを防ぐことができる。
【００２７】
また、一段目のイチゴ４、４、４・・・の下に下緩衝材３ｃを敷くことで、パック３の底面に押しつけられる一段目のイチゴ４、４、４・・・を潰れることから守ることができる。
【００２８】
図４から図６に示すように、一段目のイチゴ４、４、４・・・と二段目のイチゴ４ａ、４ａ、４ａ・・・のヘタの向きは逆を向くように収納する。このように収納することでイチゴ４、４、４、４・・・、４ａ、４ａ、４ａ・・・同士が安定し振動があっても揺動することがなくイチゴ４、４ａの外周面に傷が付かなくなる。
【００２９】
図５に示すように、イチゴ４、４、４・・・の詰め終わったパック３の折返部３ａに密着させるようにシート３ｄで覆い、更にイチゴ４、４、４・・・が揺動しないようにして安定させる。
【００３０】
また、前記上下緩衝材３ｂ、３ｃにはウレタンを使用しているため、イチゴ４、４、４・・・が沈み固定されるのでイチゴ４、４、４・・・が左右にずれることもなく、運搬の際の揺れ等などによるイチゴの傷の心配がない。
【００３１】
図７は、本発明であるイチゴの収納方法で収納容器を梱包した状態を示した斜視図である。図７に示すように、イチゴ４、４、４・・・、４ａ、４ａ、４ａ・・・・を収納したパック３、３、３、３、３の４個を収納した収納容器２には、蓋２ｌをした後に紐２ｍで縛る。蓋２ｌの左端部には左折返片２ｖが設けられているとともに、右端部には右折返片２ｗが設けられている。
【００３２】
図８は、本発明であるイチゴの収納方法で収納容器を積み重ねて梱包した状態を示した斜視図である。図７で示した収納容器２、２、２を３個を三段に積み重ねて一組とする。
【００３３】
そして、下には、左端部には左折返片５ｂ及び右端部に右折返片５ｃを有する緩衝板５ａを置き敷き、上に緩衝シート５を載せて縦方向と横方向に３箇所ずつ紐６、６、６・・・で縛り梱包する。
【００３４】
積み重ねた収納容器２、２、２の上と下に緩衝シート５と緩衝板５ａを使用して梱包することで、上下からくる衝撃が緩衝されイチゴ４、４、４・・・の形が崩れなくなる。
【００３５】
また、同時にパック３、３、３、３内でも一段目のイチゴ４ａ、４ａ、４ａ・・・と二段目のイチゴ４、４、４・・・が上下緩衝材３ｂ、３ｃにより動かない状態となるので、お互いに擦り合って傷つけ合うこともなく運搬できる。
【００３６】
パック３内に敷く上下緩衝材３ｂ、３ｃは平坦なシート状の緩衝材であるある。勿論、上下緩衝材３ｂ、３ｃは波形の凹凸状の緩衝材としても良い。このように、波形でイチゴの形状に似せた凹凸を形成することにより、よりイチゴ４、４ａを凹部に収納することができ、上下緩衝材３ｂ、３ｃ上に安定して置くことができる。
【００３７】
【発明の効果】
本発明は、以上に説明したような構成であるから以下の効果が得られる。第１に、長時間の輸送等によりイチゴ同士がぶつかり合いお互いの形を崩してしまうことがなくなり、イチゴ本来の形が維持でき見た目による商品価値が下がったり、売り物にならなくなるという事態を避けることができる。
【図面の簡単な説明】
【図１】本発明であるイチゴの収納方法を示し、イチゴをパックに収納する収納方法及びイチゴを収納したパックを収納容器に収納する収納方法を示した斜視図である。
【図２】本発明であるイチゴの収納方法に用いるイチゴ収納容器の斜視図である。
【図３】本発明であるイチゴの収納方法に用いるイチゴ収納容器で使用する縦横仕切板を示した斜視図である。
【図４】本発明であるイチゴの収納方法に用いるパックにイチゴを詰めた状態を示した正面斜視図である。
【図５】本発明であるイチゴの収納方法に用いるパックにイチゴを詰めた状態を示した正面図である。
【図６】本発明であるイチゴの収納方法に用いるパックにイチゴを詰めた状態を示した正面図及びパックの断面図である。
【図７】本発明であるイチゴの収納方法で収納容器を梱包した状態を示した斜視図である。
【図８】本発明であるイチゴの収納方法で収納容器を重ねて梱包した状態を示した斜視図である。
【符号の説明】
１      イチゴの収納方法
２      収納容器
２ａ    背面片
２ｂ    左側面片
２ｃ    右側面片
２ｄ    正面片
２ｅ    縦仕切板
２ｆ    横仕切板
２ｇ    補強片
２ｈ    差込孔
２ｉ    凹部
２ｊ    凹部
２ｋ    底面片
２ｌ    蓋
２ｍ    紐
２ｎ    段差
２ｏ    差込部
２ｐ    差込部
２ｑ    スリット
２ｒ    スリット
２ｓ    仕切り材
２ｔ    左端部
２ｕ    右端部
２ｖ    左折返片
２ｗ    右折返片
３      パック
３ａ    折返部
３ｂ    上緩衝材
３ｃ    下緩衝材
３ｄ    シート
４      イチゴ
４ａ    イチゴ
５      緩衝シート
５ａ    緩衝板
５ｂ    左折返片
５ｃ    右折返片
６      紐
【図１】
2004307015.tif 000003
【図２】
2004307015.tif 000004
【図３】
2004307015.tif 000005
【図４】
2004307015.tif 000006
【図５】
2004307015.tif 000007
【図６】
2004307015.tif 000008
【図７】
2004307015.tif 000009
【図８】
2004307015.tif 000010